(57)【要約】【課題】  デジタル放送の鍵開けを容易に行なうことができ、かつ、一度の鍵開けのみで複数の機器においてデジタル放送を視聴することが可能なデジタル放送受信再生システム、デジタル放送受信再生方法、パーソナルコンピュータ、デジタル放送再生方法及びプログラムを提供すること。【解決手段】  パーソナルコンピュータ１は、カード型受信装置１０がＰＣカードスロット２に挿入され接続が検出された場合、当該カード型受信装置１０に記憶されている識別情報９６を取得し、放送センタ３に当該識別情報９６を用いて放送信号をスクランブルさせるために放送センタ３へ送信する。放送センタ３は当該識別情報９６により放送信号をスクランブルして放送し、カード型受信装置１０が当該放送信号を受信して上記記憶している識別情報９６によりデスクランブルすることで鍵開け処理が完了する。【選択図】  図１２
2006270151.tif 000002
【特許請求の範囲】
【請求項１】
外部装置とのインターフェースを有するパーソナルコンピュータと、前記インターフェースを介して前記パーソナルコンピュータと接続可能な受信装置とにより、放送センタからスクランブルされて放送されるデジタル放送の放送信号を受信及び再生するデジタル放送受信再生システムであって、
前記パーソナルコンピュータは、前記受信装置との接続を検出する検出手段と、前記受信装置との接続が最初に検出されたときに、当該受信装置から前記識別情報を取得する取得手段と、前記取得された識別情報を、前記放送センタに当該識別情報を用いて前記放送信号をスクランブルさせるために当該放送センタへネットワークを介して送信する第１の送信手段と、前記受信装置により受信されデスクランブルされた放送信号を当該受信装置から受信する第１の受信手段と、前記受信された放送信号を再生する再生手段とを有し、
前記受信装置は、当該受信装置を識別する識別情報を記憶する記憶手段と、前記放送センタで前記パーソナルコンピュータから送信された識別情報を用いてスクランブルされて放送された放送信号を受信する第２の受信手段と、前記受信された放送信号を復調する復調手段と、前記復調された放送信号のスクランブルを前記記憶された識別情報を用いて解除するデスクランブル手段と、前記デスクランブルされた放送信号を前記パーソナルコンピュータに再生させるために送信する第２の送信手段とを有する
ことを特徴とするデジタル放送受信再生システム。
【請求項２】
請求項１に記載のデジタル放送受信再生システムであって、
前記パーソナルコンピュータの前記インターフェースはカードスロットを有し、
前記受信装置は、前記カードスロットに挿入されることで前記パーソナルコンピュータと接続可能なカード型の受信装置である
ことを特徴とするデジタル放送受信再生システム。
【請求項３】
請求項２に記載のデジタル放送受信再生システムであって、
前記放送センタは、複数のチャンネルの複数の番組の放送信号を、前記パーソナルコンピュータから前記識別情報を受信したときから所定期間無料で放送するものであり、
前記パーソナルコンピュータは、
前記所定期間後に前記各チャンネルのうち少なくとも一つのチャンネル又は前記各チャンネルの各番組のうち少なくとも一つの番組を有料で受信再生する契約を前記放送センタへ申し込むための契約情報をユーザに入力させる入力画面を表示する表示手段と、
前記ユーザに入力された契約情報を前記当該放送センタへ前記ネットワークを介して送信する第３の送信手段とを有することを特徴とするデジタル放送受信再生システム。
【請求項４】
請求項３に記載のデジタル放送受信再生システムであって、
前記パーソナルコンピュータは、
前記所定期間内に前記受信装置から受信された放送信号から、前記各チャンネルで放送される番組に関する番組情報を抽出する抽出手段を有し、
前記表示手段は、前記抽出された番組情報を基に前記入力画面を表示することを特徴とするデジタル放送受信再生システム。
【請求項５】
請求項２に記載のデジタル放送受信再生システムであって、
前記受信装置は、前記パーソナルコンピュータへ送信される前記放送信号を前記識別情報を鍵として暗号化する暗号化手段を有し、
前記パーソナルコンピュータの前記再生手段は、前記受信された放送信号の暗号を前記取得された識別情報を鍵として復号する復号手段を有する
ことを特徴とするデジタル放送受信再生システム。
【請求項６】
外部装置とのインターフェースを有するパーソナルコンピュータと、前記インターフェースを介して前記パーソナルコンピュータと接続可能な受信装置とにより、放送センタからスクランブルされて放送されるデジタル放送の放送信号を受信及び再生するデジタル放送受信再生方法であって、
前記パーソナルコンピュータは、前記受信装置との接続を検出するステップと、前記受信装置との接続が最初に検出されたときに、当該受信装置から前記識別情報を取得するステップと、前記取得された識別情報を、前記放送センタに当該識別情報を用いて前記放送信号をスクランブルさせるために当該放送センタへネットワークを介して送信するステップと、前記受信装置により受信されデスクランブルされた放送信号を当該受信装置から受信するステップと、前記受信された放送信号を再生するステップとを有し、
前記受信装置は、当該受信装置を識別する識別情報を記憶するステップと、前記放送センタで前記パーソナルコンピュータから送信された識別情報を用いてスクランブルされて放送された放送信号を受信するステップと、前記受信された放送信号を復調するステップと、前記復調された放送信号のスクランブルを前記記憶された識別情報を用いて解除するステップと、前記デスクランブルされた放送信号を前記パーソナルコンピュータに再生させるために送信するステップとを有する
ことを特徴とするデジタル放送受信再生方法。
【請求項７】
外部装置とのインターフェースを有し、放送センタからスクランブルされて放送されるデジタル放送の放送信号を受信可能な受信装置と前記インターフェースを介して接続可能なパーソナルコンピュータであって、
前記受信装置との接続を検出する検出手段と、
前記受信装置との接続が最初に検出されたときに、当該受信装置から前記識別情報を取得する取得手段と、
前記取得された識別情報を、前記放送センタに当該識別情報を用いて前記放送信号をスクランブルさせるために当該放送センタへネットワークを介して送信する送信手段と、
前記受信装置により受信されデスクランブルされた放送信号を当該受信装置から受信する受信手段と、
前記受信された放送信号を再生する再生手段と
を具備することを特徴とするパーソナルコンピュータ。
【請求項８】
外部装置とのインターフェースを有し、放送センタからスクランブルされて放送されるデジタル放送の放送信号を受信可能な受信装置と前記インターフェースを介して接続可能なパーソナルコンピュータにおいて前記放送信号を再生する方法であって、
前記受信装置との接続を検出するステップと、
前記受信装置との接続が最初に検出されたときに、当該受信装置から前記識別情報を取得するステップと、
前記取得された識別情報を、前記放送センタに当該識別情報を用いて前記放送信号をスクランブルさせるために当該放送センタへネットワークを介して送信するステップと、
前記受信装置により受信されデスクランブルされた放送信号を当該受信装置から受信するステップと、
前記受信された放送信号を再生するステップと
を具備することを特徴とするデジタル放送再生方法。
【請求項９】
外部装置とのインターフェースを有し、放送センタからスクランブルされて放送されるデジタル放送の放送信号を受信可能な受信装置と前記インターフェースを介して接続可能なパーソナルコンピュータに、
前記受信装置との接続を検出するステップと、
前記受信装置との接続が最初に検出されたときに、当該受信装置から前記識別情報を取得するステップと、
前記取得された識別情報を、前記放送センタに当該識別情報を用いて前記放送信号をスクランブルさせるために当該放送センタへネットワークを介して送信するステップと、
前記受信装置により受信されデスクランブルされた放送信号を当該受信装置から受信するステップと、
前記受信された放送信号を再生するステップと
を実行させるためのプログラム。
【発明の詳細な説明】
【技術分野】
【０００１】
本発明は、例えば衛星デジタル放送のようなデジタル放送を視聴することが可能なデジタル放送受信再生システム、デジタル放送受信再生方法、パーソナルコンピュータ、デジタル放送再生方法及びプログラムに関する。
【背景技術】
【０００２】
従来からデジタル放送においては、ＣＡＳ（Conditional Access System；限定受信システム）による有料視聴サービスが行なわれている。例えば衛星デジタル放送において、放送センタは、各ユーザのチューナを識別する識別情報（ＩＤ）を用いて放送信号をスクランブルして放送し、ユーザは、アンテナとチューナを購入して、チューナに付属の、上記ＩＤが記憶されたいわゆるＣＡＳカードと呼ばれるＩＣカードをチューナに挿入することで上記スクランブルが解除されて放送を視聴可能となる。この場合、放送センタ側は、どのＩＤのチューナが購入されたかという情報は自らは知り得ないため、ユーザ側が、アンテナやチューナの購入後にまず、上記ＩＤを放送センタへ伝えて、そのＩＤを鍵として放送信号をスクランブルして放送してもらうこと（いわゆる鍵開け）が必要であり、当該放送信号のスクランブルを、上記ＩＣカードに記憶されたＩＤを用いてデスクランブルすることで初めてデジタル放送の視聴が可能となる。
【０００３】
当該鍵開けの方法としては、例えば放送センタのカスタマー係へ電話やファックスで伝える方法の他、下記特許文献１には、チューナに接続されたモニタ上でユーザが視聴を所望する番組等のサービス項目を選択していくことで契約情報を作成するとともに、チューナに挿入されたＩＣカードからチューナが上記ＩＤを取得して、上記契約情報とＩＤとを放送センタへネットワークを介して送信するという技術が開示されている。
【特許文献１】特開２００２−２８１４７１（段落［００２１］〜［００２８］、図１等）
【発明の開示】
【発明が解決しようとする課題】
【０００４】
ところで、上記デジタル放送を異なる複数の場所で視聴することを望む場合には、上記チューナは携帯性には優れないため、複数台のチューナを購入するのが通常である。しかしながら、上記特許文献１に記載の技術においては、上記ＩＤはＩＣカードに書き込まれているものではあるが実質的には各チューナを識別するためのものであり、チューナ毎に上記ＩＤも異なる。従って、チューナを複数台購入した場合には、チューナ毎にＩＣカードが必要となるため、例えば自宅のチューナに付属のＩＣカードを携帯して自宅以外の場所に存在する別のチューナに挿入しても、そのＩＣカードにより鍵開けを行なって放送を視聴することはできない。よってユーザはチューナ毎に鍵開け及び視聴契約を行い、視聴の際には複数のＩＣカードを使い分ける必要があり、ユーザの利便性に欠ける結果となる。
【０００５】
上記事情に鑑み、本発明の目的は、デジタル放送の鍵開けを容易に行なうことができ、かつ、一度の鍵開けのみで複数の機器においてデジタル放送を視聴することが可能なデジタル放送受信再生システム、デジタル放送受信再生方法、パーソナルコンピュータ、デジタル放送再生方法及びプログラムを提供することにある。
【課題を解決するための手段】
【０００６】
上述の課題を解決するため、本発明の主たる観点に係るデジタル放送視聴システムは、外部装置とのインターフェースを有するパーソナルコンピュータと、前記インターフェースを介して前記パーソナルコンピュータと接続可能な受信装置とにより、放送センタからスクランブルされて放送されるデジタル放送の放送信号を受信及び再生するデジタル放送受信再生システムであって、前記パーソナルコンピュータは、前記受信装置との接続を検出する検出手段と、前記受信装置との接続が最初に検出されたときに、当該受信装置から前記識別情報を取得する取得手段と、前記取得された識別情報を、前記放送センタに当該識別情報を用いて前記放送信号をスクランブルさせるために当該放送センタへネットワークを介して送信する第１の送信手段と、前記受信装置により受信されデスクランブルされた放送信号を当該受信装置から受信する第１の受信手段と、前記受信された放送信号を再生する再生手段とを有し、前記受信装置は、当該受信装置を識別する識別情報を記憶する記憶手段と、前記放送センタで前記パーソナルコンピュータから送信された識別情報を用いてスクランブルされて放送された放送信号を受信する第２の受信手段と、前記受信された放送信号を復調する復調手段と、前記復調された放送信号のスクランブルを前記記憶された識別情報を用いて解除するデスクランブル手段と、前記デスクランブルされた放送信号を前記パーソナルコンピュータに再生させるために送信する第２の送信手段とを有する。
【０００７】
ここで上記パーソナルコンピュータは例えばノート型のものであり、上記インターフェースとは例えばＰＣカードスロットやＣＦ（コンパクトフラッシュ（登録商標））カードスロット、ＳＤカード（登録商標）スロット、ＵＳＢインターフェース等である。
る。また識別情報とは例えばＣＡＳのＩＤである。また上記放送信号には、映像信号と音声信号とが多重化されている場合、それらに加えてデータ放送用のデータ信号が多重化されている場合、音声信号又はデータ信号のみの場合等、様々な形態を含む。
【０００８】
この構成によれば、放送信号を受信可能な受信装置をパーソナルコンピュータに接続するだけで、パーソナルコンピュータが放送センタへ上記識別情報を送信することで容易に鍵開けを行なうことができ、かつ、当該鍵開けを一度行なうだけで、他のパーソナルコンピュータにおいてもデジタル放送を視聴することが可能となる。
【０００９】
本発明の一の形態によれば、上記デジタル放送受信再生システムにおいて、前記パーソナルコンピュータの前記インターフェースはカードスロットを有し、前記受信装置は、前記カードスロットに挿入されることで前記パーソナルコンピュータと接続可能なカード型の受信装置であってもよい。上記受信装置を、上記ＰＣカードスロットやＣＦカードスロット等に挿入可能な、携帯性に優れたカード型の受信装置とすることで、当該受信装置を携帯して上記パーソナルコンピュータとは別の場所に存在する他のパーソナルコンピュータに容易に接続することが可能となる。従って、ユーザは当該受信装置さえ携帯していれば、いかなる場所においても上記デジタル放送を視聴することが可能となる。
【００１０】
本発明の一の形態によれば、上記デジタル放送受信再生システムにおいて、前記放送センタは、複数のチャンネルの複数の番組の放送信号を、前記パーソナルコンピュータから前記識別情報を受信したときから所定期間無料で放送するものであり、前記パーソナルコンピュータは、前記所定期間後に前記各チャンネルのうち少なくとも一つのチャンネル又は前記各チャンネルの各番組のうち少なくとも一つの番組を有料で受信再生する契約を前記放送センタへ申し込むための契約情報をユーザに入力させる入力画面を表示する表示手段と、前記ユーザに入力された契約情報を前記当該放送センタへ前記ネットワークを介して送信する第３の送信手段とを有していてもよい。
【００１１】
上記所定期間とは、例えばユーザに全てのチャンネルを試しに視聴させて、有料視聴を所望するチャンネルや番組を選択させるための期間であり、例えば２週間程度である。上記契約情報には、例えばユーザが視聴を希望するチャンネル名又は番組名、ユーザの氏名や住所、放送視聴料の課金先等の情報が含まれる。
【００１２】
この構成により、上記識別情報を放送センタへ送信することでいわゆる仮登録をすることができ、かつ、当該所定期間中に上記入力画面上で契約情報を入力して放送センタへ送信することでいわゆる本登録を容易に行なうことができる。
【００１３】
本発明の一の形態によれば、上記デジタル放送受信再生システムにおいて、前記パーソナルコンピュータは、前記所定期間内に前記受信装置から受信された放送信号から、前記各チャンネルで放送される番組に関する番組情報を抽出する抽出手段を有し、前記表示手段は、前記抽出された番組情報を基に前記入力画面を表示するようにしてもよい。
【００１４】
上記番組情報は、例えば放送信号中のＳＩ／ＰＳＩ（Program Specific Information / Service Information）信号に含まれるＥＰＧ（Electronic Program Guide；電子番組ガイド）データである。これにより、番組情報を予めパーソナルコンピュータ側で記憶しておかなくとも上記入力画面を表示させることが可能となる。
【００１５】
本発明の一の形態によれば、上記デジタル放送受信再生システムにおいて、前記受信装置は、前記パーソナルコンピュータへ送信される前記放送信号を前記識別情報を鍵として暗号化する暗号化手段を有し、前記パーソナルコンピュータの前記再生手段は、前記受信された放送信号の暗号を前記取得された識別情報を鍵として復号する復号手段を有していてもよい。これにより、受信装置からパーソナルコンピュータへ放送信号が送信される際のセキュリティを向上させることができる。
【００１６】
本発明の他の観点に係るデジタル放送受信再生方法は、外部装置とのインターフェースを有するパーソナルコンピュータと、前記インターフェースを介して前記パーソナルコンピュータと接続可能な受信装置とにより、放送センタからスクランブルされて放送されるデジタル放送の放送信号を受信及び再生するデジタル放送受信再生方法であって、前記パーソナルコンピュータは、前記受信装置との接続を検出するステップと、前記受信装置との接続が最初に検出されたときに、当該受信装置から前記識別情報を取得するステップと、前記取得された識別情報を、前記放送センタに当該識別情報を用いて前記放送信号をスクランブルさせるために当該放送センタへネットワークを介して送信するステップと、前記受信装置により受信されデスクランブルされた放送信号を当該受信装置から受信するステップと、前記受信された放送信号を再生するステップとを有し、前記受信装置は、当該受信装置を識別する識別情報を記憶するステップと、前記放送センタで前記パーソナルコンピュータから送信された識別情報を用いてスクランブルされて放送された放送信号を受信するステップと、前記受信された放送信号を復調するステップと、前記復調された放送信号のスクランブルを前記記憶された識別情報を用いて解除するステップと、前記デスクランブルされた放送信号を前記パーソナルコンピュータに再生させるために送信するステップとを有する。
【００１７】
本発明のまた別の観点に係るパーソナルコンピュータは、外部装置とのインターフェースを有し、放送センタからスクランブルされて放送されるデジタル放送の放送信号を受信可能な受信装置と前記インターフェースを介して接続可能なパーソナルコンピュータであって、前記受信装置との接続を検出する検出手段と、前記受信装置との接続が最初に検出されたときに、当該受信装置から前記識別情報を取得する取得手段と、前記取得された識別情報を、前記放送センタに当該識別情報を用いて前記放送信号をスクランブルさせるために当該放送センタへネットワークを介して送信する送信手段と、前記受信装置により受信されデスクランブルされた放送信号を当該受信装置から受信する受信手段と、前記受信された放送信号を再生する再生手段とを具備する。
【００１８】
本発明の更に別の観点に係るデジタル放送再生方法は、外部装置とのインターフェースを有し、放送センタからスクランブルされて放送されるデジタル放送の放送信号を受信可能な受信装置と前記インターフェースを介して接続可能なパーソナルコンピュータにおいて前記放送信号を再生する方法であって、前記受信装置との接続を検出するステップと、前記受信装置との接続が最初に検出されたときに、当該受信装置から前記識別情報を取得するステップと、前記取得された識別情報を、前記放送センタに当該識別情報を用いて前記放送信号をスクランブルさせるために当該放送センタへネットワークを介して送信するステップと、前記受信装置により受信されデスクランブルされた放送信号を当該受信装置から受信するステップと、前記受信された放送信号を再生するステップとを具備する。
【００１９】
本発明のまた更に別の観点に係るプログラムは、外部装置とのインターフェースを有し、放送センタからスクランブルされて放送されるデジタル放送の放送信号を受信可能な受信装置と前記インターフェースを介して接続可能なパーソナルコンピュータに、前記受信装置との接続を検出するステップと、前記受信装置との接続が最初に検出されたときに、当該受信装置から前記識別情報を取得するステップと、前記取得された識別情報を、前記放送センタに当該識別情報を用いて前記放送信号をスクランブルさせるために当該放送センタへネットワークを介して送信するステップと、前記受信装置により受信されデスクランブルされた放送信号を当該受信装置から受信するステップと、前記受信された放送信号を再生するステップとを実行させるためのものである。
【発明の効果】
【００２０】
本発明によれば、デジタル放送の鍵開けを容易に行なうことができ、かつ、一度の鍵開けのみで複数の機器においてデジタル放送を視聴することができる。
【発明を実施するための最良の形態】
【００２１】
以下、本発明の実施の形態を図面に基づき詳細に説明する。
【００２２】
図１は、本実施形態に係る衛星デジタル放送受信再生システムの構成を示した図である。同図に示すように、本システムは、放送センタ３、放送衛星４、例えばノート型のパーソナルコンピュータ１及び当該パーソナルコンピュータ１のカードスロットに挿入可能なカード型受信装置１０とで構成される。またパーソナルコンピュータ１は例えばインターネット等のネットワーク５を介して上記放送センタ３と接続されている。
【００２３】
放送センタ３からは、マルチチャンネルによるデジタル放送信号がアップリンクを介して放送衛星４へ送信され、当該放送衛星４から放送信号が、例えばＳバンド（例えば2.6GHz帯）を使用して地上に送信される。そして、当該放送信号等が地上のカード型受信装置１０によって受信され、更にパーソナルコンピュータ１へ転送されて再生されることでユーザはデジタル放送を視聴する。
【００２４】
なお、当該衛星デジタル放送における放送信号の伝送にはマルチパス環境においても良好な受信が可能なＣＤＭ（Code Division Multiplexing；符号分割多重）方式を用いることが好ましい態様であるが、他の方式であっても勿論構わない。ＣＤＭ方式は、伝送されるデジタルデータのストリームにおける１シンボル内のマルチパスフェージングによって散乱して受信機に到来した受信信号を複数の相関受信機を用いて分離し、散乱した信号を合成して信号電力を高めて受信するＲＡＫＥ受信を行うことにより、耐マルチパス特性の高い受信が可能となる。
【００２５】
本実施形態においては、放送の受信から映像及び／又は音声の再生までの処理のうち、放送の受信や当該放送信号の復調等の処理をパーソナルコンピュータ１のＰＣカードスロット２に挿入したカード型受信装置１０により実行している。まず、当該カード型受信装置１０について説明する。
【００２６】
（カード型受信装置の外観構成）  
図２は本発明の一実施形態に係るカード型受信装置の外観を示す斜視図であって、アンテナ収容ケースを折り畳んだ状態を示している。図３は当該カード型受信装置の外観を示す図であって、アンテナ収容ケースを開いた状態を示している。図４は当該カード型受信装置がパーソナルコンピュータのＰＣカードスロットに挿入された状態を示している。
【００２７】
これらの図に示すように、このカード型受信装置１０は、パーソナルコンピュータ１のＰＣカードスロット２に挿入可能とされている。  
このカード型受信装置１０は、パーソナルコンピュータ１のＰＣカードスロット２内に収容されるカード本体２０と、このカード本体２０と一体化され、かつ、カード本体２０がＰＣカードスロット２内に収容されたときに当該カードスロット２より外側に露出する外出部３０とを有する。
【００２８】
カード本体２０は、長方形で金属製の筺体２１と、筺体２１の一辺側（外出部３０がある側とは反対側の辺）に設けられたコネクタ２２とを有する。コネクタ２２は、メス型であり、カード本体２０がＰＣカードスロット２内に収容されたときにＰＣカードスロット２内の対応する位置に設けられたオス型のコネクタ（図示せず）に接続されるようになっている。なお、カード本体２０の表面には、商品の名称や注意書き等が印刷されたシール（図示せず）が貼られている。
【００２９】
外出部３０は、カード本体２０がＰＣカードスロット２内に収容される第１の方向（Ｘ方向）にカード本体２０から延在された第１のケース３１と、第１のケース３１におけるＸ方向と直交する方向（Ｙ方向）の両側の枢着部３２にそれぞれ枢着された２つの第２のケース（アンテナ収容ケース）３３とを有する。第１のケース３１は、例えばカード本体２０より僅かに厚く、且つ、僅かに幅が大きいプラスチック製のケースであり、カード本体２０におけるコネクタ２２が設けられた辺とは反対側の辺に突き出るように設けられている。
【００３０】
第１のケース３１の表面３４のほぼ中央には、Ｘ方向に所定の間隔をもって配置され、それぞれＹ方向に延びる２つのゴム製のクッション部材３５が取り付けられている。なお、第１のケース３１の裏面には、商品特定用のバーコードが印刷されたシール（図示せず）が貼られている。
【００３１】
２つの第２のケース３３は、左右対称の形状を有しており、第２のケース３３の折り畳み時には第２のケース３３の表面３６が第１のケース３１の表面３４と対面して第１のケース３１と第２のケース３３とが一体化して形状となり、各第２のケース３３をＹ方向に開いたとき、つまりこの受信装置１０の使用時には２つの第２のケース３３の表面３６が第１のケース３１の表面３４と同じ方向（仰向き）となるように、枢着部３２を介してカード本体２０に枢着されている。
【００３２】
各第２のケース３３の表面３６には、それぞれ十字上の溝３７が設けられている。また、各第２のケース３３の表面３６のＹ方向の外側２箇所には突起部３８が設けられている。この突起部３８は、第２のケース３３の折り畳み時に、第１のケース３１の表面３４に取り付けられたクッション部材３５に当接するようになっている。これにより、第２のケース３３の折り畳み時の機械的ショックが第１のケース３１及び第２のケース３３に極力影響しないようにされている。
【００３３】
各第２のケース３３の第１のケース３１がある側とは反対側の側面には、外部アンテナ接続端子３９が設けられている。外部アンテナ接続端子３９にはゴム製のキャップ４０が取り付けられている。
【００３４】
（カード型受信装置１０の内部構成）  
ここで、このカード型受信装置１０は、衛星放送を受信して暗号化された映像信号及び／又は音声信号をパーソナルコンピュータ１に伝送するものである。
【００３５】
図５はこの実施形態に係るカード型受信装置１０の内部構成を示すブロック図である。  
同図に示すように、第２のケース３３内には、平面型のパッチアンテナ４１、ＬＮＡ（ローノイズアンプ）４２及びアンテナ切り替え部４３が収容されている。ＬＮＡ４２は、パッチアンテナ４１又は外部アンテナから入力されたＲＦ信号を増幅する増幅器である。アンテナ切り替え部４３は、外部アンテナ接続端子３９に外部アンテナが接続されたとき、当該接続による力によって平面型のパッチアンテナ４１に代えて外部アンテナからの信号がＬＮＡ４２に入力されるように切り替えるものである。外部アンテナが外されたときには、その逆の動作が行われる。
【００３６】
図６に示すように、平面型のパッチアンテナ４１は、第２のケース３３の表面３６側に指向性を有するアンテナである。この平面型のパッチアンテナ４１の裏面に、ＬＮＡ４２及びアンテナ切り替え部４３が配置されている。
【００３７】
第１のケース３１内には、増幅されたＲＦ信号を復調部に渡すためにダウンコンバートするＲＦダウンコンバート部４４が設けられている。
【００３８】
図７に示すように、このＲＦダウンコンバート部４４を構成する素子における第１のケース３１の表面３４側には、グランドに接地された金属製の板状部材４５により覆われている。これにより、ＲＦダウンコンバート部４４から発生する熱をより効果的に放熱することが可能となり、ＲＦダウンコンバート部４４から発生するノイズがＬＮＡ４２に回り込むことがなくなる。
【００３９】
カード本体２０内には、ＲＦダウンコンバート部４４によりダウンコンバートされたＲＦ信号を復調する復調部４６、条件付きアクセスまたは限定受信にされている有料放送において受信契約の有無に応じてＲＦ信号の解読を実行するか否かを規制するコンディショナル・アクセス部４７、パーソナルコンピュータ１との間でインターフェースを図ると共にパーソナルコンピュータ１側に送出する復調された信号を暗号化するインターフェース部４８及びコネクタ２２が設けられている。なお、カード本体２０内には、これらの要素の他に、装置全体を包括的に制御するための制御部やＲＡＭ(Random Access Memory)、ＲＯＭ(Read Only Memory)及びフラッシュメモリ、パーソナルコンピュータ１から供給された電力を各部に供給するための電源部等（以上、図示を省略）を備える。フラッシュメモリには例えば当該カード型受信装置１０を識別するための識別情報が記憶される。
【００４０】
以上の第１のケース３１内及びカード本体２０内の各構成部品は１枚の共通の基板４９上に実装されている。
【００４１】
次に、上記のようなカード型受信装置１０が接続されるパーソナルコンピュータ１について説明する。図８は、パーソナルコンピュータ１の構成を示したブロック図である。
【００４２】
同図に示すように、パーソナルコンピュータ１は、インターフェース部７１、デコーダ７２、グラフィックコントローラ７３、Ｄ／Ａ（デジタル／アナログ）コンバータ７４、表示部７５、音声出力部７６、操作入力部７７、バッテリ７８、ＨＤＤ７９、ＣＰＵ(Central Processing Unit)８０、ＲＡＭ８１、ＲＯＭ８２及び通信部８３で構成され、それらはバス８４で接続されている。
【００４３】
インターフェース部７１は、パーソナルコンピュータ１とカード型受信装置１０とを接続するインターフェースとなる。当該インターフェース部７１は具体的には上述したＰＣカードスロット２であり、当該スロット２内のオス型のコネクタが上記カード型受信装置１０のメス型のコネクタ２２と接続することで、上記復調部４６において復調され、インターフェース部４８において暗号化された信号がパーソナルコンピュータ１内に送入される。
【００４４】
デコーダ７２は、上記インターフェース部７１を介して送入されたデジタル信号の処理を行う。具体的には、暗号化されたデジタル信号を復号するとともに、例えばＭＰＥＧ−２（Moving Picture Experts Group-2）のＴＳ（トランスポートストリーム）方式で圧縮されたデジタル信号をＭＰＥＧ−２の規定に従ってデコードする。当該デコードされたデジタル信号のうち、映像信号はグラフィックコントローラ７３へ送られ、音声信号はＤ／Ａコンバータ７４へ送られる。更に、データ信号又はＳＩ／ＰＳＩ信号からは、各チャンネルで放送される番組の番組内容が記述されたＥＰＧデータが抽出され、ＲＡＭ８１へ記憶される。なお、本実施形態においては、デコーダ７２はソフトウェアにより実現されるが、ハードウェアによって実現されても勿論構わない。
【００４５】
グラフィックコントローラ７３では、受信したデジタル映像信号が例えばＮＴＳＣ画像信号に変換され、当該ＮＴＳＣ画像が、例えばＬＣＤ（Liquid Crystal Display）等でなる表示部７５へ表示される。また、Ｄ／Ａコンバータ７４では、デジタル音声信号がアナログ音声信号へ変換され、当該アナログ音声信号が音声出力部７６から出力される。
【００４６】
操作入力部７７は、例えばキーボード、マウス、トラックパッド、タッチパネル、操作ボタン等でなり、番組を再生又は録画したり、番組情報を表示したりする際のユーザの操作を入力する。またバッテリ７８は、パーソナルコンピュータ１の電源を供給すると共に、上記インターフェース部７１を介してカード型受信装置１０へ電力を供給する。
【００４７】
ＨＤＤ７９は、ＯＳや各種アプリケーション等、パーソナルコンピュータ１を動作させるために必要なプログラムや、放送番組を記録した映像又は音声ファイル等の各種データを格納している。本実施形態においてデジタル放送を視聴するための放送視聴アプリケーション８５も当該ＨＤＤ７９に格納される。
【００４８】
ＣＰＵ８０は、ＲＯＭ８２に格納されている制御プログラムや、上記放送視聴アプリケーション８５のような各種アプリケーションやプログラム、各種データをＲＡＭ８１に展開し、上記操作入力部７７から入力されたユーザの指示に基づいて、各種ハードウェアや、アプリケーション及びプログラムの処理を行い、パーソナルコンピュータ１の全体の動作を制御する。また上述したようにＲＡＭ８１には上記ＥＰＧ情報９７も格納される。
【００４９】
通信部８３は、例えばモデム等からなり、電話回線等を介して上記ネットワーク５へ接続し、上記放送センタ３等との通信を可能とするものである。
【００５０】
次に、上記ＨＤＤ７９に格納された放送視聴アプリケーション８５及び各データについて説明する。図９は、当該放送視聴アプリケーション８５及びデータの詳細を示した図である。
【００５１】
同図に示すように、ＨＤＤ７９には、放送視聴アプリケーション８５と、識別情報９６及びＥＰＧ情報９７の各データが格納されている。放送視聴アプリケーション８５は、放送再生プログラム９１、カード接続検出プログラム９２、識別情報処理プログラム９３、暗号化データ復号プログラム９４及び契約情報処理プログラム９５から構成される。
【００５２】
放送再生プログラム９１は、上記カード型受信装置１０において受信され、上記インターフェース部７１を介してパーソナルコンピュータ１へ送入された放送信号に対して、デコードや、表示部７５及び音声出力部７６への出力等、放送の再生に必要な処理を行なうプログラムである。
【００５３】
カード接続検出プログラム９２は、上記インターフェース部７１のＰＣカードスロット２にカード型受信装置１０が挿入されたときに、上記バッテリ７８からカード型受信装置１０へ電力が供給され、インターフェース部７１からＣＰＵ８０を介して送信される検出信号をチェックして、カード型受信装置１０とパーソナルコンピュータ１とが電気的に接続されているか否かを検出するためのプログラムである。
【００５４】
識別情報処理プログラム９３は、上記カード接続検出プログラム９２によりカード型受信装置１０の接続が検出されたときに、カード型受信装置１０のフラッシュメモリに記憶された識別情報９６を取得し、放送センタ３に当該識別情報９６を用いて放送信号をスクランブルして放送させていわゆる鍵開けをさせるために、上記通信部８３を介して放送センタ３へ送信するためのプログラムである。
【００５５】
暗号化データ復号プログラム９４は、上記カード型受信装置１０のインターフェース部４８で暗号化された放送データを、上記デコーダ７２と協働して復号するためのプログラムである。上記放送データは、上述したように上記インターフェース部４８において前記識別情報９６を暗号鍵として暗号化されており、暗号化データ復号プログラム９４は、上記識別情報処理プログラム９３により取得された識別情報９６を記憶しておき、上記暗号化された放送データをカード型受信装置１０から受信した場合には当該識別情報９６を復号鍵として復号する。
【００５６】
契約情報処理プログラム９５は、上記放送信号に含まれるＳＩ信号等からＥＰＧ情報９７を取得して、当該ＥＰＧ情報９７を基に、ユーザが所望のチャンネル又は番組について放送センタ３と有料視聴契約を結ぶための契約情報を作成するための画面を表示部７５に表示し、ユーザの入力に基づいて当該契約情報を、通信部８３を介して放送センタ３へ送信するためのプログラムである。
【００５７】
なお、本実施形態においては、放送センタ３へ上記識別情報９６を送信することで、放送センタ３において当該送信された識別情報９６によりスクランブルされた放送信号が放送され、カード型受信装置１０が当該放送信号を受信して上記フラッシュメモリに記憶された識別情報９６を用いてデスクランブルすることで鍵開けが行なわれる。そして、放送センタ３においては、当該鍵開けから例えば２週間程度の所定期間はいわゆるお試し期間として全てのチャンネルの放送を無料で提供し、所定期間内にユーザから所望のチャンネル又は番組の有料視聴契約の申込みがあれば、当該チャンネル又は番組について所定期間後も引き続き上記識別情報９６によりスクランブルした放送信号を放送することとなる。本実施形態においては、以下、上記識別情報９６を放送センタ３へ送信して鍵開けすることを仮登録といい、上記所定期間内に有料視聴契約を申し込むことを本登録という。
【００５８】
図１０は、本実施形態において仮登録後に放送視聴アプリケーション８５が起動した場合に表示部７５に表示される放送視聴用のウィンドウ（以下、視聴ウィンドウという）の例を示した図である。  
同図に示すように、視聴ウィンドウ１００においては、番組の映像が表示される番組表示画面１０４の上部に、チャンネル表示欄１０１及び番組表示欄１０３を有する。チャンネル表示欄にはチャンネルＩＤとチャンネル名が表示され、また当該欄右端のチャンネル切替ボタン１０２をユーザが操作入力部７７を介してクリック等することによりチャンネルの切替（選局）を行なうことが可能となっている。
【００５９】
番組表示画面１０４の下部には音量調整エリア１０５が表示され、ユーザが当該エリア内の任意の位置又は両端のボタンをクリック等することにより音量調整を行なうことが可能となっている。また当該音量調整エリア１０５の右側には本登録ボタン１０６が表示される。ユーザが当該本登録ボタン１０６をクリック等することにより、放送センタ３に上記本登録を申し込むためのウィンドウ画面（以下、本登録申込み画面２００という）が立ち上がり、ユーザは当該画面上で氏名や住所、所望のチャンネル又は番組、支払い方法等を入力する。
【００６０】
図１１は、上記本登録申込み画面２００の例を示した図である。同図に示すように、本登録申込み画面２００には、ユーザ（有料視聴契約申込者）の名前や住所、電話番号等を入力するユーザ情報欄２０１、ユーザが有料視聴を所望するチャンネルを選択するための視聴希望チャンネル欄２０２及び視聴料の支払い方法等を入力する支払方法欄２０３が表示される。視聴希望チャンネル欄２０２においては、例えば所望のチャンネル名の横のチェックボックスをクリック等することによりチャンネルを選択可能となっている。またデータ・情報サービスの視聴も選択可能である。なお、チャンネル名をクリック等することで、当該チャンネルで放送される番組の詳細情報等を表示させるようにしてもよい。支払方法欄２０３においては例えばクレジットカードによる支払いと金融機関の口座振替による支払いとを選択可能となっている。
【００６１】
これらの全ての欄への入力が済むと、例えば画面最下部に表示される送信ボタン２０４を押下操作することで、上記画面に入力された契約情報が通信部８３によりネットワーク５を介して放送センタ３へ送信される。放送センタ３は当該契約情報を受信することによりセンタ内における本登録作業を行い、仮登録期間経過後も、上記選択されたチャンネルについて上記識別情報９６によりスクランブルした有料放送を放送する。
【００６２】
次に、本実施形態におけるカード型受信装置１０及びパーソナルコンピュータ１の動作について説明する。
【００６３】
まず、カード型受信装置１０及びパーソナルコンピュータ１の鍵開け処理について説明する。図１２は、鍵開け処理におけるカード型受信装置１０、パーソナルコンピュータ１及び放送センタ３の動作を示したフローチャートである。
【００６４】
同図に示すように、まず、パーソナルコンピュータ１は、カード接続検出プログラム９２により、カード型受信装置１０がＰＣカードスロット２へ挿入されることでカード型受信装置１０との接続が検出されたか否かを確認する（ステップ３０１）。接続が確認された場合（ステップ３０１のＹＥＳ）、識別情報処理プログラム９３により、カード型受信装置１０のフラッシュメモリから識別情報９６を取得し（ステップ３０２）、当該識別情報９６を通信部８３によりネットワーク５を介して送信する（ステップ３０３）。
【００６５】
放送センタ３は、当該識別情報９６を受信すると、当該識別情報９６を用いて放送信号をスクランブルし（ステップ４０２）、当該スクランブルした放送信号を放送する（ステップ４０３）。
【００６６】
カード型受信装置１０は、上記放送信号をパッチアンテナ４１により受信し（ステップ５０１）、当該放送信号をＲＦダウンコンバート部４４によりダウンコンバートして復調部４６により復調する（ステップ５０２）。続いて、コンディショナル・アクセス部４７により、上記識別情報９６を用いて放送信号に施されたスクランブルを解除する（ステップ５０３）。そして、当該デスクランブルされた放送信号を、インターフェース部４８により上記識別情報９６を暗号鍵として暗号化し（ステップ５０４）、当該暗号化された放送信号を、当該インターフェース部４８を介してパーソナルコンピュータ１へ送信する（ステップ５０５）。
【００６７】
パーソナルコンピュータ１は、上記カード型受信装置１０から送信された暗号化された放送信号を受信し（ステップ３０４）、続いて暗号化データ復号プログラム９４により、上記カード型受信装置１０との接続検出時に取得した識別情報９６を鍵として当該放送信号の暗号を複合する（ステップ３０５）。そして当該複合された放送信号をデコードして、上記視聴ウィンドウ１００をユーザインターフェースとして放送再生プログラム９１により上記表示部７５及び音声出力部７６から再生する（ステップ３０６）。
【００６８】
以上の動作により、ユーザは、カード型受信装置１０をパーソナルコンピュータ１に挿入するだけで、パーソナルコンピュータ１が放送センタ３へ上記識別情報を自動的に送信するため、電話やファックスにより連絡する等の煩雑な作業をすることなく、容易に鍵開けを行ない、いわゆる仮登録を行なうことができる。
【００６９】
また、カード型受信装置１０に対して鍵開けをすることで、パーソナルコンピュータ１以外の他の汎用のパーソナルコンピュータにおいても、上記放送視聴アプリケーション８５をインストールしておけば、再度鍵開け処理をすることなく放送を視聴することが可能となる。更に、カード型受信装置１０からパーソナルコンピュータ１へ送信される放送信号を暗号化することで、送信時のセキュリティを確保することが可能となる。
【００７０】
なお、当該パーソナルコンピュータ１において鍵開け処理を行った後、他のパーソナルコンピュータに最初にカード型受信装置１０が挿入された場合には、上記識別情報９６を放送センタ３へ送信する作業は不必要となる。従って、例えば、パーソナルコンピュータ１の放送視聴アプリケーション８５は、識別情報９６を放送センタ３へ送信したときに、カード型受信装置１０の例えばフラッシュメモリ上に、識別情報９６を既に送信済みである旨（すなわち、鍵開け済みである旨）のフラグを立てるようにして、当該カード型受信装置１０が他のパーソナルコンピュータに挿入された場合には識別情報９６の取得のみを行い、放送センタ３への送信は行なわないように制御すればよい。
【００７１】
次に、上記仮登録後の所定期間内に本登録を行なう場合の動作について説明する。図１３は、本登録を行なう場合のパーソナルコンピュータ１の動作の流れを示したフローチャートである。
【００７２】
同図に示すように、まず、パーソナルコンピュータ１は、視聴ウィンドウ１００上でユーザにより本登録ボタン１０６が押下されたか否かを確認し（ステップ６０１）、押下された場合（ステップ６０１のＹＥＳ）には、契約情報処理プログラム９５により、ＨＤＤ７９からＥＰＧ情報を取得して、当該ＥＰＧ情報中のチャンネル名等の情報を用いて上記本登録申込み画面２００を生成する（ステップ６０３）。なおユーザ情報欄や支払い方法欄の生成に必要なデータ等、チャンネルに関する情報以外の情報は放送視聴アプリケーション８５側で予め記憶しておく。続いて、当該生成した本登録申込み画面２００を表示部７５に表示して（ステップ６０４）、当該画面上でユーザの入力が行なわれ、上記送信ボタン２０４が押下された場合（ステップ６０５のＹＥＳ）には、入力された契約情報を通信部８３によりネットワーク５を介して放送センタ３へ送信する（ステップ６０６）。当該送信された情報が放送センタ３により受信されることで、いわゆる本登録作業が完了する。
【００７３】
以上の動作により、ユーザは、上記本登録申込み画面２００を利用することで、例えば申し込み用紙に記入してポストへ投函する等の煩雑な作業を要することなくパーソナルコンピュータ１の表示部７５上で容易に本登録処理を行うことができる。放送センタ３側も、紙媒体の申込み用紙を受領してその内容をデータ入力する等の作業が不必要となり、本登録処理の効率も向上する。
【００７４】
なお、本発明は上述の実施形態にのみ限定されるものではなく、本発明の要旨を逸脱しない範囲内において種々変更を加え得ることは勿論である。
【００７５】
上述の実施形態においては、無料視聴期間を２週間として、２週間以内に本登録の申込みを行なうこととしているが、例えば当該期限が間近になった場合には、放送視聴アプリケーション８５は例えば視聴ウィンドウ１００上にその旨を表示して、ユーザに報知するようにしてもよい。
【００７６】
また上述の実施形態においては本登録申込み画面２００をパーソナルコンピュータ１が生成することとしているが、例えば、当該本登録申込み画面を例えば放送センタ３が運営するサイト上に用意して、放送視聴アプリケーション８５は、当該ＵＲＬをパーソナルコンピュータ１のブラウザの例えばブックマーク（お気に入り）に取り込むようにしても構わない。
【図面の簡単な説明】
【００７７】
【図１】本発明の一実施形態に係るデジタル放送受信再生システムの構成を示した図である。
【図２】本発明の一実施形態に係るカード型受信装置の外観を示す斜視図であって、アンテナ収容ケースを折り畳んだ状態を示している。
【図３】一実施形態に係るカード型受信装置の外観を示す図であって、アンテナ収容ケースを開いた状態を示している。
【図４】一実施形態に係るカード型受信装置がパーソナルコンピュータのＰＣカードスロットに挿入された状態を示した図である。
【図５】本実施形態に係るカード型受信装置１０の内部構成を示すブロック図である。
【図６】一実施形態に係る第２のケースの断面図である。
【図７】一実施形態に係る第１のケースの断面図である。
【図８】一実施形態に係るパーソナルコンピュータ１の構成を示したブロック図である。
【図９】一実施形態における放送視聴アプリケーション８５及びデータの詳細を示した図である。
【図１０】一実施形態において仮登録後に放送視聴アプリケーション８５が起動した場合に表示部７５に表示される視聴ウィンドウの例を示した図である。
【図１１】一実施形態における本登録申込み画面２００の例を示した図である。
【図１２】一実施形態における鍵開け処理時のカード型受信装置１０、パーソナルコンピュータ１及び放送センタ３の動作を示したフローチャートである。
【図１３】一実施形態において本登録を行なう場合のパーソナルコンピュータ１の動作の流れを示したフローチャートである。
【符号の説明】
【００７８】
１…パーソナルコンピュータ
２…ＰＣカードスロット
３…放送センタ
４…放送衛星
５…ネットワーク
１０…カード型受信装置
４１…パッチアンテナ
４６…復調部
４７…コンディショナル・アクセス部
４８…インターフェース部
７１…インターフェース部
７２…デコーダ
７５…表示部
７６…音声出力部
７７…操作入力部
７８…バッテリ
７９…ＨＤＤ
８０…ＣＰＵ
８１…ＲＡＭ
８２…ＲＯＭ
８３…通信部
８５…放送視聴アプリケーション
９１…放送再生プログラム
９２…カード接続検出プログラム
９３…識別情報処理プログラム
９４…暗号化データ復号プログラム
９５…契約情報処理プログラム
９６…識別情報
９７…ＥＰＧ情報
１００…視聴ウィンドウ
１０６…本登録ボタン
２００…本登録申込み画面
２０４…送信ボタン
【図１】
2006270151.tif 000003
【図２】
2006270151.tif 000004
【図３】
2006270151.tif 000005
【図４】
2006270151.tif 000006
【図５】
2006270151.tif 000007
【図６】
2006270151.tif 000008
【図７】
2006270151.tif 000009
【図８】
2006270151.tif 000010
【図９】
2006270151.tif 000011
【図１０】
2006270151.tif 000012
【図１１】
2006270151.tif 000013
【図１２】
2006270151.tif 000014
【図１３】
2006270151.tif 000015